(57)【要約】【課題】除霜運転により温められた冷却器室内の暖湿気が庫内に侵入して、庫内の温度上昇や風路周辺の着霜を促進するのを防止する。【解決手段】冷却器７の除霜運転時、冷却器７の下方に配置されたラジアントヒータ２０により加熱された冷却器室６内の暖気は自然対流で上昇していき、ファン８を通過し、庫内へ流入しようとするが、吐出風路内、及び、ファン前方に配置したトラップ１９により冷凍室２への暖気の流入は防止でき、除霜時の庫内の温度上昇が軽減される。【選択図】図２
2005172302.tif 000002
【特許請求の範囲】
【請求項１】
最下段に配置した冷凍室と、前記冷凍室背面に配置し圧縮機により冷媒を循環させ、庫内を冷却するための冷気を生成する冷却器と、前記冷却器の上方に配置したファンと、前記冷却器を暖めて除霜する除霜手段と、前記冷却器前面に冷却器カバーを有し冷却器を収納する冷却器室とを有する冷蔵庫において、前記冷却器カバー内の吐出口の吐出風路内にトラップを設けることを特徴とする冷蔵庫。
【請求項２】
最下段に配置した冷凍室と、前記冷凍室背面に配置し圧縮機により冷媒を循環させ、庫内を冷却するための冷気を生成する冷却器と、前記冷却器の上方に配置したファンと、前記冷却器を暖めて除霜する除霜手段と、前記冷却器前面に冷却器カバーを有し冷却器を収納する冷却器室と、前記冷凍室の上部に製氷室と切替室を有する冷蔵庫において、前記冷却器カバー内の吐出口の吐出風路内にトラップを設けることを特徴とする冷蔵庫。
【請求項３】
ファンの吐出方向前方に冷却器カバーの吐出口を有し、前記ファン正面にトラップを設けたことを特徴とする請求項１または２に記載の冷蔵庫。
【請求項４】
製氷室、切替室への風量配分はトラップの上流側における垂直面の前後方向の開口寸法で行い、製氷室側の開口寸法を切替室側よりも大きくしたことを特徴とする請求項２または３に記載の冷蔵庫。
【請求項５】
製氷室、切替室への風量配分はトラップの上流側における垂直面の前後方向の開口寸法で行い、切替室側の開口寸法を製氷室側よりも大きくしたことを特徴とする請求項２または３に記載の冷蔵庫。
【請求項６】
冷凍室の上部吐出口と下部吐出口への風量配分は冷却器カバーから突き出したリブによって行うことを特徴とする請求項１から請求項５のいずれか一項に記載の冷蔵庫。
【請求項７】
冷凍室の上部吐出口と下部吐出口への風量配分は冷却器カバー表面とトラップとの開口寸法で行い、上部吐出口側の開口寸法を下部吐出口側よりも大きくしたことを特徴とする請求項１から請求項５のいずれか一項に記載の冷蔵庫。
【請求項８】
冷凍室の上部吐出口と下部吐出口への風量配分は冷却器カバー表面とトラップとの開口寸法で行い、下部吐出口側の開口寸法を上部吐出口側よりも大きくしたことを特徴とする請求項１から請求項５のいずれか一項に記載の冷蔵庫。
【請求項９】
トラップ下端部をファン下端部よりも下方に配置したことを特徴とする請求項１から請求項８のいずれか一項に記載の冷蔵庫。
【発明の詳細な説明】
【技術分野】
【０００１】
本発明は冷蔵庫の冷却器周辺の風路に関するものである。
【背景技術】
【０００２】
従来、冷蔵庫の冷却器周辺には、冷気を送出するファンと前記ファンの風路を形成するダクトが設置されている。（例えば、特許文献１参照）
以下、図面を参照しながら上記従来の冷蔵庫を説明する。
【０００３】
図３は従来の冷蔵庫の冷却室断面図である。図３において、１は冷蔵庫、２は冷凍室、３は冷蔵室で、これら冷凍室２と冷蔵室３とで庫内を構成する。４は冷蔵室３と冷凍室２を仕切り断熱する仕切壁、５は仕切壁４と間隔を保って上方に設けられた冷凍室２の底壁で、６は仕切壁４と底壁５との間に形成した冷却器室、７は冷却器室６内に設置された冷却器である。８は冷却器７で冷却した空気を冷凍室２と冷蔵室３とに循環させるファン、冷凍室２へはファン８の前方から直接冷気が吐出され、冷蔵室３へはダクト９を通って降下した冷気が送出され、１０は冷蔵室３の温度に応じてダクト９の冷蔵室３への冷気吹出口部分を開閉するダンパ装置である。
【０００４】
以上のように構成された従来の冷蔵庫について、以下その動作を説明する。
【０００５】
冷却器７に付着した霜を取り除くため、冷却器７を加熱する除霜運転が行われる。除霜運転は冷却器に取付けられたセンサーによって一定温度に達すると運転は終了される。そして冷却器７の除霜作業を終了した後、冷却動作を行い、数分の後にファン８を運転させる。この除霜作業により高くなった冷却器室６内の空気が冷却されるまで冷却器室６内の空気は冷凍室２や冷蔵室３に送風されない。よって、除霜運転により冷却器室６が暖められても、ファン８を停止することにより暖められた冷却器室内の空気が庫内へ侵入しないようにしていた。
【特許文献１】特開昭５９−１０９７６号公報
【発明の開示】
【発明が解決しようとする課題】
【０００６】
しかしながら、上記従来の構成では、除霜運転により暖かくなった空気はファン８を運転しなくても上方に運ばれて冷凍室２内へ流入し、冷凍室２の上方へ達し庫内を温めてしまう。このため、除霜運転後に冷却器室６内の空気が冷却されるまでファン８を運転しないが、この間、冷却動作が行われないため、冷凍室２へ一旦上昇してしまった暖気を冷却するのに時間がかかってしまうといった課題があった。さらには、除霜運転により吐出口より流出した暖かく、湿った空気が吐出口付近に付着し、着霜するという課題を有していた。
【０００７】
本発明は従来の課題を解決するもので、除霜運転により温められた冷却器室内の暖湿気が庫内に侵入するのを防止する冷蔵庫を提供することを目的とする。
【課題を解決するための手段】
【０００８】
上記課題を解決するため、本発明の冷蔵庫は、最下段に配置した冷凍室と、前記冷凍室背面に配置し圧縮機により冷媒を循環させ、庫内を冷却するための冷気を生成する冷却器と、前記冷却器の上方に配置したファンと、前記冷却器を暖めて除霜する除霜手段と、前記冷却器前面に冷却器カバーを有し冷却器を収納する冷却器室とを有する冷蔵庫において、前記冷却器カバー内の吐出口の吐出風路内にトラップを設けるものであり、除霜運転により温められた冷却器室内の暖湿気が庫内に直接侵入するのを防止でき、庫内の温度上昇や風路内や吐出口付近の着霜を防止することができる。加えて、除霜を効率よく行うことができる。
【０００９】
また、本発明の冷蔵庫は、最下段に配置した冷凍室と、前記冷凍室背面に配置し圧縮機により冷媒を循環させ、庫内を冷却するための冷気を生成する冷却器と、前記冷却器の上方に配置したファンと、前記冷却器を暖めて除霜する除霜手段と、前記冷却器前面に冷却器カバーを有し冷却器を収納する冷却器室と、前記冷凍室の上部に製氷室と切替室を有する冷蔵庫において、前記冷却器カバー内の吐出口の吐出風路内にトラップを設けるものであり、除霜運転により温められた冷却器室内の暖湿気が、上部に設けた製氷室と切替室への風路内に直接侵入するのを防止でき、庫内の温度上昇や上部に設けた製氷室と切替室への風路風路内の着霜を防止することができる。加えて、除霜を効率よく行うことができる。
【発明の効果】
【００１０】
本発明の冷蔵庫は、最下段に配置した冷凍室と、前記冷凍室背面に配置し圧縮機により冷媒を循環させ、庫内を冷却するための冷気を生成する冷却器と、前記冷却器の上方に配置したファンと、前記冷却器を暖めて除霜する除霜手段と、前記冷却器前面に冷却器カバーを有し冷却器を収納する冷却器室とを有する冷蔵庫において、前記冷却器カバー内の吐出口の吐出風路内にトラップを設けることにより、庫内の温度上昇や風路内や吐出口付近の着霜を防止することができる。加えて、除霜を効率よく行うことができる。
【００１１】
また、本発明の冷蔵庫は、最下段に配置した冷凍室と、前記冷凍室背面に配置し圧縮機により冷媒を循環させ、庫内を冷却するための冷気を生成する冷却器と、前記冷却器の上方に配置したファンと、前記冷却器を暖めて除霜する除霜手段と、前記冷却器前面に冷却器カバーを有し冷却器を収納する冷却器室と、前記冷凍室の上部に製氷室と切替室を有する冷蔵庫において、前記冷却器カバー内の吐出口の吐出風路内にトラップを設けることにより、庫内の温度上昇や上部に設けた製氷室と切替室への風路風路内の着霜を防止することができる。加えて、除霜を効率よく行うことができる。
【発明を実施するための最良の形態】
【００１２】
請求項１に記載の発明は、最下段に配置した冷凍室と、前記冷凍室背面に配置し圧縮機により冷媒を循環させ、庫内を冷却するための冷気を生成する冷却器と、前記冷却器の上方に配置したファンと、前記冷却器を暖めて除霜する除霜手段と、前記冷却器前面に冷却器カバーを有し冷却器を収納する冷却器室とを有する冷蔵庫において、前記冷却器カバー内の吐出口の吐出風路内にトラップを設けるものであり、除霜運転により温められた冷却器室内の暖湿気が庫内に直接侵入するのを防止でき、庫内の温度上昇や風路内や吐出口付近の着霜を防止することができる。加えて、除霜を効率よく行うことができる。
【００１３】
請求項２に記載の発明は、最下段に配置した冷凍室と、前記冷凍室背面に配置し圧縮機により冷媒を循環させ、庫内を冷却するための冷気を生成する冷却器と、前記冷却器の上方に配置したファンと、前記冷却器を暖めて除霜する除霜手段と、前記冷却器前面に冷却器カバーを有し冷却器を収納する冷却器室と、前記冷凍室の上部に製氷室と切替室を有する冷蔵庫において、前記冷却器カバー内の吐出口の吐出風路内にトラップを設けるものであり、除霜運転により温められた冷却器室内の暖湿気が、上部に設けた製氷室と切替室への風路内に直接侵入するのを防止でき、庫内の温度上昇や上部に設けた製氷室と切替室への風路風路内の着霜を防止することができる。加えて、除霜を効率よく行うことができる。
【００１４】
請求項３に記載の発明は、請求項１または２に記載の発明において、ファンの吐出方向前方に冷却器カバーの吐出口を有し、前記ファン正面にトラップを設けたものであり、除霜運転により温められた冷却器室内の暖湿気が庫内に直接侵入するのを確実に防止でき、庫内の温度上昇や風路内や吐出口付近の着霜を防止することができる。
【００１５】
請求項４に記載の発明は、請求項２または３に記載の発明において、製氷室、切替室への風量配分はトラップの上流側における垂直面の前後方向の開口寸法で行い、製氷室側の開口寸法を切替室側よりも大きくしたものであり、製氷室への風量を冷却器カバーの形状を変更することなく配分を増やすことができるため、製氷能力を高めることができる。
【００１６】
請求項５に記載の発明は、請求項２または３に記載の発明において、製氷室、切替室への風量配分はトラップの上流側における垂直面の前後方向の開口寸法で行い、切替室側の開口寸法を製氷室側よりも大きくしたものであり、切替室の冷却能力を高めることで、切替室を冷凍室に容易に冷却することができる。
【００１７】
請求項６に記載の発明は、請求項１から請求項５のいずれか一項に記載の発明において、冷凍室の上部吐出口と下部吐出口への風量配分は冷却器カバーから突き出したリブによって行うものであり、冷凍室の上部と下部への風量を適切に配分できるため、冷凍室内の温度分布改善を図ることができる。
【００１８】
請求項７に記載の発明は、請求項１から請求項５のいずれか一項に記載の発明において、冷凍室の上部吐出口と下部吐出口への風量配分は冷却器カバー表面とトラップとの開口寸法で行い、上部吐出口側の開口寸法を下部吐出口側よりも大きくしたものであり、冷凍室の上部と下部への風量を適切に配分できるため、冷凍室内の温度分布改善を図ることができる。
【００１９】
請求項８に記載の発明は、請求項１から請求項５のいずれか一項に記載の発明において、冷凍室の上部吐出口と下部吐出口への風量配分は冷却器カバー表面とトラップとの開口寸法で行い、下部吐出口側の開口寸法を上部吐出口側よりも大きくしたものであり、下部吐出口側の風路抵抗を減らし、冷凍室の上部と下部への風量を適切に配分できるため、冷凍室内の温度分布改善を図ることができる。
【００２０】
請求項９に記載の発明は、請求項１から請求項５のいずれか一項に記載の発明において、トラップ下端部をファン下端部よりも下方に配置したものであり、トラップによる対流防止効果を確実に高めることができる。
【００２１】
以下、本発明の実施の形態について、図面を参照しながら説明する。なお、従来と同一構成については、同一符号を付して詳細な説明を省略する。また、この実施の形態によってこの発明が限定されるものではない。
【００２２】
（実施の形態１）
図１は、本発明の実施の形態１による冷蔵庫の側面断面図、図２は同実施の形態の冷蔵庫の要部断面図である。
【００２３】
図１、２おいて、１は冷蔵庫本体で、冷蔵庫本体１の内部の最下段には冷凍室２を配置している。また、冷凍室２の上部には製氷室１１と切替室１２を配置している。１３は冷凍室扉、１４は製氷室扉、１５は切替室扉である。１６は断熱仕切壁で、冷凍室側と野菜室１７を仕切っている。
【００２４】
冷蔵庫本体１の下部背面に機械室を有し、内部に圧縮機１８を配している。７は冷却器で、冷凍室２の奥面に配置している。８はファンで、冷却器７の上部に傾斜して配置している。ファン８の前方にはトラップ１９を設けてある。２０は除霜手段としてのラジアントヒータで、冷却器７の下方に設けてある。２１は冷却器カバーで、樹脂製の冷却器カバー表面２７と断熱部材２２を組み込み冷却器カバー２１を形成している。冷却器カバー２１は冷却器７の前面に位置し、冷却器カバー２１の上部には吐出口２３を、下部には冷凍室戻り風路２４を有している。２５は冷凍室吐出風路である。
【００２５】
上記構成において、冷却器７で冷却された冷気は、ファン８により冷却器カバー２２の上部および下部の吐出口２３、２６から冷凍室２内に吐出され、下部の冷凍室戻り風路２４から冷却器７に戻る。ファン８からの冷気の一部は製氷室１１とダンパを介して切替室１２に吐出され、製氷室１１については戻り風路から冷凍室２へ、切替室１２については戻り風路から冷却器７に戻る。上記動作を繰り返し冷凍室２、製氷室１１、切替室１２を所定の温度に冷却する。冷却器７には冷凍室２、製氷室１１、切替室１２からの戻り冷気に含まれる水分により霜が生成される。そして、一定の運転時間ごとにラジアントヒータ２０に通電し冷却器７の除霜を行なう。除霜運転は冷却器７の下方に配置されたラジアントヒータ２０により加熱され、冷却器７に付いた霜が水滴になり冷却器７から除去される。このラジアントヒータ２０の加熱により、冷却器室内全体が加熱される。冷却器室６内の暖気は自然に上昇していき、ファン８を通過し、庫内へ流入しようとするが、ファン８前方のトラップ１９により冷凍室２への暖気の流入は防止される。つまり、除霜時の庫内の温度上昇が軽減される。
【００２６】
また、ファン８の吐出方向前方に吐出口２３、２６がある場合においても、ファン８の正面にトラップ１９を配置させているので、除霜運転により温められた冷却器室内６の暖湿気が庫内に直接侵入するのを確実に防止でき、庫内の温度上昇や風路内や吐出口付近の着霜を防止することができる。加えて、除霜を効率よく行うことができる。
【００２７】
また、トラップ１９の上流側における垂直面の前後方向の開口寸法において、製氷室側の開口寸法を切替室側よりも大きくすることで、製氷能力を高めることができる。
【００２８】
また、トラップ１９の上流側における垂直面の前後方向の開口寸法において、切替室側の開口寸法を製氷室側よりも大きくすることで、切替室の冷却能力を高めることで、切替室を冷凍室に容易に冷却することができる。
【００２９】
また、冷却器カバー表面２７からリブ２８を突き出すことにより、冷凍室２の上部と下部への風量をリブ２８の高さによって、適切に配分できるため、冷凍室２内の温度分布改善を図ることができる。
【００３０】
また、冷却器カバー表面２７とトラップ１９との間の開口寸法において、上部吐出口側の開口寸法を下部吐出口側よりも大きくしたものであり、冷凍室の上部と下部への風量を適切に配分できるため、冷凍室内の温度分布改善を図ることができる。
【００３１】
なお、冷却器カバー表面２７とトラップ１９との間の開口寸法において、下部吐出口側の開口寸法を上部吐出口側よりも大きくすることで、下部吐出口側の風路抵抗を減らし、冷凍室の上部と下部への風量を適切に配分できるため、冷凍室内の温度分布改善を図ることができる。
また、トラップ下端部をファン下端部よりも下方に配置することで、トラップによる対流防止効果を確実に高めることができる。
【産業上の利用可能性】
【００３２】
以上のように、本発明にかかる冷蔵庫は、庫内の温度上昇や風路内や吐出口付近の着霜を防止することができるので、強制対流式の冷蔵庫等の冷却機器に有効に適用できる。
【図面の簡単な説明】
【００３３】
【図１】本発明の実施の形態１による冷蔵庫の側面断面図
【図２】同実施の形態の冷蔵庫の要部断面図
【図３】従来の冷蔵庫の冷却室断面図
【符号の説明】
【００３４】
１    冷蔵庫
２    冷凍室
３    冷蔵室
７    冷却器
８    ファン
１８    圧縮機
１９    トラップ
２４    冷凍室戻り風路
２５    冷凍室吐出風路
２７    冷却器カバー
【図１】
2005172302.tif 000003
【図２】
2005172302.tif 000004
【図３】
2005172302.tif 000005